(57)【要約】【課題】装着作業を容易且つ適切に行うことができる作業機用支持ベルトを提供する。【解決手段】作業機用支持ベルト１には、第１長さ調整機構１９、第２長さ調整機構２１、第３長さ調整機構２５、及び第４長さ調整機構２６、２７が設けられている。第１長さ調整機構１９、第２長さ調整機構２１、第３長さ調整機構２５及び第４長さ調整機構２６、２７の近傍には、それぞれ作業順番を示す順番表示６２〜６５が設けられている。【選択図】図３
2020080812.tif 000002
【特許請求の範囲】
【請求項１】
複数の長さ調整機構が設けられた作業機用支持ベルトであって、
前記複数の長さ調整機構又は該複数の長さ調整機構の近傍には、それぞれ作業順番を示す順番表示が設けられている、作業機用支持ベルト。
【請求項２】
請求項１に記載の作業機用支持ベルトであって、
前記作業機用支持ベルトは、２つのベルト要素同士を係止する係止部材をさらに備え、
前記係止部材又は前記係止部材の近傍には、前記順番表示が設けられている、作業機用支持ベルト。
【請求項３】
請求項１又は２に記載の作業機用支持ベルトであって、
前記作業機用支持ベルトは、少なくとも１つのベルト要素の先端部に設けられたクリップをさらに備え、
前記クリップ又は前記クリップの近傍には、前記順番表示が設けられている、作業機用支持ベルト。
【請求項４】
背板部と、
該背板部の上部から上方に延びて前方に回り込む左肩ベルト及び右肩ベルトと、
該背板部の下部から両側方に延びる腰ベルトと、
前記左肩ベルトの前下部と前記腰ベルトの左後部とを接続する左サスペンダーバンドと、
前記右肩ベルトの前下部と前記腰ベルトの右後部とを接続する右サスペンダーバンドと、
前記背板部の上部から左下方に延びて前方に回り込み、前記腰ベルトの左端部と連結される左側部ベルトと、
前記背板部の上部から右下方に延びて前方に回り込み、前記腰ベルトの右端部と連結される右側部ベルトと、
連結された前記腰ベルトの前記左端部及び前記左側部ベルトと、連結された前記腰ベルトの前記右端部及び前記右側部ベルトと、を係止する係止部材と、
作業機を支持する支持部材が設けられた作業機用パッドと、
前記作業機用パッドの前部を支持する前支持バンドと、
前記作業機用パッドの後部を支持する後支持バンドと、を備え、
前記係止部材は、左係止部と右係止部とを備え、
連結された前記腰ベルトの前記左端部及び前記左側部ベルトには、前記左係止部が設けられ、
連結された前記腰ベルトの前記右端部及び前記右側部ベルトには、第１長さ調整機構が設けられ、
前記前支持バンドには、前記左係止部と係合する前記右係止部が第２長さ調整機構を介して連結され、
前記前支持バンドは、前記第２長さ調整機構に対し一方側に位置する第１端部が前記作業機用パッドに連結され、前記第２長さ調整機構に対し他方側に位置する第２端部が前記第１長さ調整機構に連結され、
前記第１長さ調整機構及び前記第２長さ調整機構、又は前記第１長さ調整機構及び前記第２長さ調整機構の近傍には、それぞれ作業順番を示す順番表示が設けられている、作業機用支持ベルト。
【請求項５】
請求項４に記載の作業機用支持ベルトであって、
前記係止部材又は前記係止部材の近傍には、前記順番表示が設けられている、作業機用支持ベルト。
【請求項６】
請求項４又は５に記載の作業機用支持ベルトであって、
前記腰ベルトの前記右後部には、第３長さ調整機構が設けられ、
該第３長さ調整機構に前記後支持バンドが連結され、
前記第３長さ調整機構又は前記第３長さ調整機構の近傍には、前記順番表示が設けられている、作業機用支持ベルト。
【請求項７】
請求項４〜６のいずれか１項に記載の作業機用支持ベルトであって、
前記左肩ベルト及び前記右肩ベルトの前記前下部には、それぞれ第４長さ調整機構が設けられ、
前記左サスペンダーバンドは、前記第４長さ調整機構を介して前記左肩ベルトの前記前下部に連結され、
前記右サスペンダーバンドは、前記第４長さ調整機構を介して前記右肩ベルトの前記前下部に連結され、
前記第４長さ調整機構又は前記第４長さ調整機構の近傍には、前記順番表示が設けられている、作業機用支持ベルト。
【請求項８】
請求項４〜７のいずれか１項に記載の作業機用支持ベルトであって、
前記前支持バンドの先端部、前記左サスペンダーバンドの先端部、及び前記右サスペンダーバンドの先端部には、それぞれクリップが設けられ、
前記クリップ又は前記クリップの近傍には、前記順番表示が設けられている、作業機用支持ベルト。
【請求項９】
請求項１〜８のいずれか１項に記載の作業機用支持ベルトであって、
前記順番表示は、前記作業順番を直接的に示す数値を含む、作業機用支持ベルト。
【請求項１０】
請求項１〜８のいずれか１項に記載の作業機用支持ベルトであって、
前記順番表示は、前記作業順番を直接的に示すマークを含む、作業機用支持ベルト。
【請求項１１】
請求項１〜１０のいずれか１項に記載の作業機用支持ベルトであって、
前記順番表示は、印刷、焼印、縫製、接着の少なくとも一つにより形成される、作業機用支持ベルト。
【発明の詳細な説明】
【技術分野】
【０００１】
本発明は、作業機用支持ベルトに関する。
【背景技術】
【０００２】
刈払い機など作業機を使用者の上半身で支持するための作業機用支持ベルトとして、背板と、これに固定されかつ自由前端部を有する肩ベルトと、背板より左右一方の脇下を経て前方へ延びかつその前端部がほぼ使用者の胸郭の下側範囲に終っている側部ベルトと、作業機械が当接する作業機用パッドと、側部ベルトの下方に設けられた骨盤ベルトと、を備え、作業機用パッドの前端部が支持バンドを介して側部ベルトに結合されるとともに、作業機用パッドの後端部が支持バンドを介して骨盤ベルトに結合されたものが知られている（特許文献１）。
【０００３】
特許文献１の作業機用支持ベルトには、作業機用パッドの前端部と側部ベルトとの間に１つの長さ調整機構が設けられており、この長さ調整機構によって作業機用パッドの位置を調整することができるようになっている。
【先行技術文献】
【特許文献】
【０００４】
【特許文献１】特開平１０−９８９３０号公報
【発明の概要】
【発明が解決しようとする課題】
【０００５】
しかしながら、特許文献１の作業機用支持ベルトは、１つの長さ調整機構しかないため、使用者の体格や作業機の大きさなどに合わせて作業機用パッドの位置を適切に調節することができなかった。一方で、作業機用支持ベルトに複数の長さ調整機構を設けた場合、作業者が作業機用支持ベルトを装着する際に装着作業に時間がかかる虞がある。
【０００６】
本発明は、複数の長さ調整機構により作業機用パッドの位置を調節可能であって、装着作業を容易且つ適切に行うことができる作業機用支持ベルトを提供する。
【課題を解決するための手段】
【０００７】
第一発明は、
複数の長さ調整機構が設けられた作業機用支持ベルトであって、
前記複数の長さ調整機構又は該複数の長さ調整機構の近傍には、それぞれ作業順番を示す順番表示が設けられている。
【０００８】
第二発明は、
背板部と、
該背板部の上部から上方に延びて前方に回り込む左肩ベルト及び右肩ベルトと、
該背板部の下部から両側方に延びる腰ベルトと、
前記左肩ベルトの前下部と前記腰ベルトの左後部とを接続する左サスペンダーバンドと、
前記右肩ベルトの前下部と前記腰ベルトの右後部とを接続する右サスペンダーバンドと、
前記背板部の上部から左下方に延びて前方に回り込み、前記腰ベルトの左端部と連結される左側部ベルトと、
前記背板部の上部から右下方に延びて前方に回り込み、前記腰ベルトの右端部と連結される右側部ベルトと、
連結された前記腰ベルトの前記左端部及び前記左側部ベルトと、連結された前記腰ベルトの前記右端部及び前記右側部ベルトと、を係止する係止部材と、
作業機を支持する支持部材が設けられた作業機用パッドと、
前記作業機用パッドの前部を支持する前支持バンドと、
前記作業機用パッドの後部を支持する後支持バンドと、を備え、
前記係止部材は、左係止部と右係止部とを備え、
連結された前記腰ベルトの前記左端部及び前記左側部ベルトには、前記左係止部が設けられ、
連結された前記腰ベルトの前記右端部及び前記右側部ベルトには、第１長さ調整機構が設けられ、
前記前支持バンドには、前記左係止部と係合する前記右係止部が第２長さ調整機構を介して連結され、
前記前支持バンドは、前記第２長さ調整機構に対し一方側に位置する第１端部が前記作業機用パッドに連結され、前記第２長さ調整機構に対し他方側に位置する第２端部が前記第１長さ調整機構に連結され、
前記第１長さ調整機構及び前記第２長さ調整機構、又は前記第１長さ調整機構及び前記第２長さ調整機構の近傍には、それぞれ作業順番を示す順番表示が設けられている。
【発明の効果】
【０００９】
本発明の作業機用支持ベルトによれば、複数の長さ調整機構又はこれらの近傍に、それぞれ作業順番を示す順番表示が設けられているので、順番表示により示された作業順番に従って、装着作業を行うことより、装着作業を容易且つ適切に行うことができる。
【図面の簡単な説明】
【００１０】
【図１】本発明の一実施形態の作業機用支持ベルトの着用状態を示す斜視図である。
【図２】図１の作業機用支持ベルトの着用状態を示す正面図である。
【図３】図１の作業機用支持ベルトの背面図である。
【発明を実施するための形態】
【００１１】
以下、本発明の一実施形態を添付図面に基づいて説明する。
【００１２】
［作業機用支持ベルトの全体構成］
図１〜図３に示すように、一実施形態の作業機用支持ベルト１は、背板部２と、背板部２の上部から上方に延びて作業者Ｐの前方に回り込む左肩ベルト３及び右肩ベルト４と、背板部２の下部から両側方に延びる腰ベルト５と、左肩ベルト３の前下部３ａと腰ベルト５の左後部５ａとを接続する左サスペンダーバンド６と、右肩ベルト４の前下部４ａと腰ベルト５の右後部５ｂとを接続する右サスペンダーバンド７と、背板部２の上部から左下方に延びて作業者Ｐの前方に回り込み、腰ベルト５の左端部５Ｌと連結される左側部ベルト８と、背板部２の上部から右下方に延びて作業者Ｐの前方に回り込み、腰ベルト５の右端部５Ｒと連結される右側部ベルト９と、連結された腰ベルト５の左端部５Ｌ及び左側部ベルト８と、連結された腰ベルト５の右端部５Ｒ及び右側部ベルト９と、を係止する係止部材１０と、腰ベルト５の右後部５ｂに後支持バンド１３を介して支持されるとともに、連結された腰ベルト５の右端部５Ｒ及び右側部ベルト９に前支持バンド１４を介して支持され、作業機（不図示）を支持するフック１５が設けられた作業機用パッド１６と、を備える。背板部２、左肩ベルト３、右肩ベルト４、腰ベルト５、左側部ベルト８、及び右側部ベルト９は、クッション材（不図示）を有する。
【００１３】
上記構成によれば、背板部２、左肩ベルト３及び左サスペンダーバンド６、右肩ベルト４及び右サスペンダーバンド７、左側部ベルト８、右側部ベルト９、及び腰ベルト５により、作業機の荷重を作業者Ｐの上半身に分散させることができる。また、作業機用支持ベルト１に、左側部ベルト８及び右側部ベルト９を設け、且つ、連結された腰ベルト５の左端部５Ｌ及び左側部ベルト８と、連結された腰ベルト５の右端部５Ｒ及び右側部ベルト９とを係止部材１０で係止することで、作業者Ｐの腰回り全体に作業機の荷重を分散させることができるため、腰部へ作用する荷重の偏りが小さくなり、作業者の身体への局所的な荷重による疲労を軽減することができる。また、背板部２、左肩ベルト３、右肩ベルト４、腰ベルト５、左側部ベルト８、及び右側部ベルト９がクッション材を有するので、作業者Ｐの負荷をより軽減することができる。
【００１４】
左肩ベルト３及び右肩ベルト４は、背板部２と一体に形成され略Ｙ字状のベルト本体２０を構成する。ベルト本体２０の下端部２０ｂは、腰ベルト５の中央部５ｃに接続されている。背板部２及び腰ベルト５には、内部に硬質樹脂部材からなる補強部材２ａ、５ｄが設けられている。この構成によれば、背板部２及び腰ベルト５に適度な弾性及び剛性を付与することができる。また、補強部材に硬質樹脂部材を使用することで、補強部材に金属を使用した場合に比べて軽量且つ低コストで作業機用支持ベルト１を製作することができる。
【００１５】
腰ベルト５の係止部材１０は、サイドリリース型のワンタッチバックルであり、左係止部としての雌部材１１と右係止部としての雄部材１２とにより構成される。すなわち、係止部材１０は、雌部材１１に雄部材１２を差し込むことにより、雄部材１２の一対の係止片が雌部材１１の一対の係止凹部に係止され、且つ、一対の係止片を指で押し込むことにより一対の係止凹部から離脱するよう構成されている。
【００１６】
また、この作業機用支持ベルト１は、背板部２と腰ベルト５の右後部５ｂとを連結する補強バンド２３を備えている。補強バンド２３は、背板部２と右側部ベルト９との接続部と、背板部２と腰ベルト５との接続部との間で、背板部２に接続されており、補強バンド２３と後支持バンド１３とが略一直線上に配置されている。このように、背板部２と腰ベルト５の右後部５ｂとを連結する補強バンド２３が、後支持バンド１３に対し略一直線上に配置されているので、後支持バンド１３に掛かる作業機の荷重を補強バンド２３で適切に受けることができる。
【００１７】
腰ベルト５の左端部５Ｌと左側部ベルト８とは、左連結バンド１７（ベルト要素）を介して連結されている。腰ベルト５の右端部５Ｒと右側部ベルト９とは、右連結バンド１８（ベルト要素）を介して連結されている。左連結バンド１７には、係止部材１０の雌部材１１が設けられ、右連結バンド１８には、第１長さ調整機構１９を介して前支持バンド１４が連結されている。前支持バンド１４には、係止部材１０の雄部材１２が、第２長さ調整機構２１を介して連結されている。
【００１８】
また、腰ベルト５の右後部５ｂには、第３長さ調整機構２５が設けられ、第３長さ調整機構２５に後支持バンド１３が連結されている。第１長さ調整機構１９、第２長さ調整機構２１及び第３長さ調整機構２５は、例えばラダーロックである。このように、右連結バンド１８には第１長さ調整機構１９を介して前支持バンド１４が連結されているため、前支持バンド１４の長さを調整することで、作業機用支持ベルト１の腰回りの長さを調整することができる。
【００１９】
また、前支持バンド１４における第２長さ調整機構２１と作業機用パッド１６との間の距離及び後支持バンド１３における第３長さ調整機構２５と作業機用パッド１６との間の距離を変更することで、フック１５（作業機用パッド１６）の位置を自由に調整することができる。即ち、前支持バンド１４における第２長さ調整機構２１と作業機用パッド１６との間の距離及び後支持バンド１３における第３長さ調整機構２５と作業機用パッド１６との間の距離を共に長くすることで、フック１５の位置を下げることができ、前支持バンド１４における第２長さ調整機構２１と作業機用パッド１６との間の距離及び後支持バンド１３における第３長さ調整機構２５と作業機用パッド１６との間の距離を共に短くすることで、フック１５の位置を上げることができる。さらに、前支持バンド１４における第２長さ調整機構２１と作業機用パッド１６との間の距離を短くし、且つ、後支持バンド１３における第３長さ調整機構２５と作業機用パッド１６との間の距離を長くすることで、フック１５を前側に移動させることができ、前支持バンド１４における第２長さ調整機構２１と作業機用パッド１６との間の距離を長くし、且つ、後支持バンド１３における第３長さ調整機構２５と作業機用パッド１６との間の距離を短くすることで、フック１５を後側に移動させることができる。また、第１長さ調整機構１９、第２長さ調整機構２１及び第３長さ調整機構２５を汎用性の高いラダーロックとすることで、製造コストを削減できる。
【００２０】
左肩ベルト３及び右肩ベルト４の前下部３ａ、４ａには、それぞれ第４長さ調整機構２６、２７が設けられている。左サスペンダーバンド６は、第４長さ調整機構２６を介して左肩ベルト３の前下部３ａに連結され、右サスペンダーバンド７は、第４長さ調整機構２７を介して右肩ベルト４の前下部４ａに連結されている。この構成によれば、左肩ベルト３の第４長さ調整機構２６を利用して左サスペンダーバンド６の長さを調整するとともに、右肩ベルト４の第４長さ調整機構２７を利用して右サスペンダーバンド７の長さを調整することで、腰ベルト５の位置を作業者Ｐにあわせて調整することができる。なお、第４長さ調整機構２６、２７は、例えばラダーロックである。
【００２１】
左サスペンダーバンド６は、基端部６ａが腰ベルト５の左後部５ａに縫合され、先端部６ｂ側が第４長さ調整機構２６を経由して左肩ベルト３の前下部３ａから延びている。右サスペンダーバンド７は、基端部７ａが腰ベルト５の右後部５ｂに縫合され、先端部７ｂ側が第４長さ調整機構２７を経由して右肩ベルト４の前下部４ａから延びている。腰ベルト５の右後部５ｂには、右サスペンダーバンド７、後支持バンド１３及び補強バンド２３が集約して縫合され、縫製作業等の容易化が図られている。
【００２２】
左側部ベルト８には、左サスペンダーバンド６が挿通される左通し孔８ａが設けられ、右側部ベルト９には、右サスペンダーバンド７が挿通される右通し孔９ａが設けられている。左通し孔８ａは、左側部ベルト８にバンド部材２４の両端部を縫合することにより形成されている。右通し孔９ａは、右連結バンド１８の一端部１８ａ及び中間部１８ｃを右側部ベルト９に縫合することにより形成されている。このように、左側部ベルト８に設けられた左通し孔８ａに左サスペンダーバンド６を挿通するとともに、右側部ベルト９に設けられた右通し孔９ａに右サスペンダーバンド７を挿通することで、所望の位置に左サスペンダーバンド６及び右サスペンダーバンド７を誘導することができるので、作業機用支持ベルト１の一体性が向上し、作業機の荷重を作業者Ｐの上半身に適切に分散させることができる。また、右サスペンダーバンド７が挿通される右側部ベルト９の右通し孔９ａが、右連結バンド１８の一部によって構成されているので、部品点数を削減できる。
【００２３】
前支持バンド１４は、基端部（第１端部）１４ａが作業機用パッド１６に縫合して連結されており、先端部（第２端部）１４ｂ側は第２長さ調整機構２１及び第１長さ調整機構１９を経由して延びている。自由端となる前支持バンド１４の先端部１４ｂには、クリップ２２が設けられている。このように、前支持バンド１４の先端部１４ｂにはクリップ２２が設けられているので、クリップ２２を右側部ベルト９等に挟むことで、前支持バンド１４のばたつきを防止できる。
【００２４】
左サスペンダーバンド６及び右サスペンダーバンド７の先端部６ｂ、７ｂには、それぞれクリップ２８が設けられている。この構成によれば、各クリップ２８を左サスペンダーバンド６及び右サスペンダーバンド７等に挟むことで、左サスペンダーバンド６及び右サスペンダーバンド７のばたつきを防止できる。
【００２５】
また、この作業機用支持ベルト１は、背板部２の上方に、左肩ベルト３と右肩ベルト４とを連結するループバンド２９を備えている。この構成によれば、不使用時にループバンド２９を利用して、作業機用支持ベルト１を引っ掛けておくことができる。
【００２６】
［順番表示］
図１〜図３に示すように、作業機用支持ベルト１には、装着する際の各部の作業順番（操作順番）を示す順番表示６１〜６６が設けられている。具体的には、係止部材１０には、作業順番が1番であることを示す順番表示６１が設けられている。また、左サスペンダーバンド６の第４長さ調整機構２６の近傍、及び右サスペンダーバンド７の第４長さ調整機構２７の近傍には、それぞれ作業順番が２番であることを示す順番表示６２が設けられている。また、第１長さ調整機構１９、第２長さ調整機構２１及び第３長さ調整機構２５の近傍には、それぞれ作業順番が３番であることを示す順番表示６３が設けられている。また、第４長さ調整機構２６、２７の近傍且つ順番表示６２より少し離れた位置には、それぞれ作業順番が４番であることを示す順番表示６４が設けられている。また、前支持バンド１４の先端部（第２端部）１４ｂには、作業順番が５番であることを示す順番表示６５が設けられている。そして、各クリップ２２、２８には、それぞれ作業順番が６番であることを示す順番表示６６が設けられている。なお、ここで説明する作業順番は一例であって、これに限られるものではない。
【００２７】
上記のように、係止部材１０に、作業順番が1番であることを示す順番表示６１が設けられていることにより、作業機用支持ベルト１を装着する際、係止部材１０の雌部材１１と雄部材１２との結合操作を１番目、すなわち最初に行うべきであることを作業者Ｐに認識させることができる。
【００２８】
また、左サスペンダーバンド６の第４長さ調整機構２６の近傍、及び右サスペンダーバンド７の第４長さ調整機構２７の近傍に、それぞれ作業順番が２番であることを示す順番表示６２が設けられていることにより、第４長さ調整機構２６、２７による左サスペンダーバンド６及び右サスペンダーバンド７の長さ調整を２番目すなわち、係止部材１０の結合操作の次に行うべきであることを作業者Ｐに認識させることができる。この実施形態では、左サスペンダーバンド６及び右サスペンダーバンド７の余剰部（先端部６ｂ、７ｂ側の部分）を引っ張ることにより、左サスペンダーバンド６及び右サスペンダーバンド７の長さをそれぞれ短く調整することができる。一方、第４長さ調整機構２６を緩めることにより、左サスペンダーバンド６及び右サスペンダーバンド７の長さをそれぞれ長く調整することができる。
【００２９】
また、第１長さ調整機構１９、第２長さ調整機構２１及び第３長さ調整機構２５の近傍に、それぞれ作業順番が３番であることを示す順番表示６３が設けられていることにより、第１長さ調整機構１９、第２長さ調整機構２１及び第３長さ調整機構２５による前支持バンド１４及び後支持バンド１３の長さ調整を３番目すなわち、左サスペンダーバンド６及び右サスペンダーバンド７の長さ調整の次に行うべきであることを作業者Ｐに認識させることができる。この実施形態では、第２長さ調整機構２１により、前支持バンド１４の第２長さ調整機構２１と作業機用パッド１６との間の長さ（以下、「前支持バンド１４の長さ」と記す。）を調整することができる。また、第３長さ調整機構２５により後支持バンド１３の第３長さ調整機構２５と作業機用パッド１６との間の長さ（以下、「後支持バンド１３の長さ」と記す。）を調整することができる。前支持バンド１４の長さ及び後支持バンド１３の長さを適宜調整することにより、上記したように、フック１５（作業機用パッド１６）の位置を自由に調整することができる。
【００３０】
また、第４長さ調整機構２６、２７の近傍且つ順番表示６２より少し離れた位置に、それぞれ作業順番が４番であることを示す順番表示６４が設けられていることにより、第４長さ調整機構２６、２７による左サスペンダーバンド６及び右サスペンダーバンド７の長さ調整（再調整）を４番目すなわち、前支持バンド１４及び後支持バンド１３の長さ調整の次に行うべきであることを作業者Ｐに認識させることができる。この実施形態では、第４長さ調整機構２６、２７により左サスペンダーバンド６及び右サスペンダーバンド７の長さを調整することにより、作業者Ｐの肩及び背と腰回りとに分担させる荷重を調整することができる。
【００３１】
また、前支持バンド１４の先端部１４ｂに、作業順番が５番であることを示す順番表示６５が設けられていることにより、前支持バンド１４の第１長さ調整機構１９と第２長さ調整機構２１との間の長さ調整により胴回りのフィット感の調整を５番目すなわち、左サスペンダーバンド６及び右サスペンダーバンド７の長さ再調整の次に行うべきであることを作業者Ｐに認識させることができる。この実施形態では、前支持バンド１４の先端部（第２端部）１４ｂを前方に引っ張ることにより、前支持バンド１４の第１長さ調整機構１９と第２長さ調整機構２１との間を縮長して、胴回りのフィット感を向上させることができる。一方、第１長さ調整機構１９を緩めて、前支持バンド１４の第１長さ調整機構１９と第２長さ調整機構２１との間を伸長することにより、作業機の棹の作業可動域を増大させることができる。
【００３２】
また、各クリップ２２、２８に、それぞれ作業順番が６番であることを示す順番表示６６が設けられていることにより、各クリップ２２、２８を使用して、前支持バンド１４、左サスペンダーバンド６及び右サスペンダーバンド７のばたつきを防止する操作を５番目すなわち最後に行うべきであることを作業者Ｐに認識させることができる。
【００３３】
この実施形態では、順番表示６１〜６６として、作業順番を直接的に示す数値を含む表示が用いられている。具体的には、順番表示６１〜６６として、作業順番を直接的に示す丸囲み数字が用いられている。このように、順番表示６１〜６６が、作業順番を直接的に示す数値を含むことにより、作業機用支持ベルト１の装着時における各部の作業順番を使用者に直接的に認識させることができる。
【００３４】
また、この実施形態では、順番表示６１は、雌部材１１の表面に印刷、焼印、接着のいずれかにより形成されている。順番表示６２、６４は、それぞれ左サスペンダーバンド６及び右サスペンダーバンド７に印刷、接着、縫製のいずれかにより形成されている。順番表示６３は、それぞれ後支持バンド１３及び前支持バンド１４に印刷、接着、縫製のいずれかにより形成されている。順番表示６６は、各クリップ２２，２８の表面に印刷、焼印、接着のいずれかにより形成されている。このように、順番表示６１〜６６は、印刷、焼印、縫製、接着のいずれかにより形成されるので、作業機用支持ベルト１の各部の作業順番（操作順番）を作業者Ｐに明確に示すことができる。また、順番表示６１〜６６の近傍に、作業順番をより的確に把握できるように作業の名称等を表示してもよい。例えば、順番表示６１の近傍に、腰ベルト係止等と表示してもよい。表示方法は、印刷、打刻、シール（接着）、縫製など、手段は問わない。
【００３５】
［作用］
上記のように構成された作業機用支持ベルト１は、背板部２、左肩ベルト３及び左サスペンダーバンド６、右肩ベルト４及び右サスペンダーバンド７、左側部ベルト８、右側部ベルト９、及び腰ベルト５により、作業機の荷重を作業者Ｐの上半身で分散することができる。また、作業機用支持ベルト１に、左側部ベルト８に加えて右側部ベルト９を設け、且つ、連結された腰ベルト５の左端部５Ｌ及び左側部ベルト８と連結された腰ベルト５の右端部５Ｒ及び右側部ベルト９とを係止部材１０で係止することで、作業者Ｐの腰回り全体に作業機の荷重を分散させることができるため、腰部へ作用する荷重の偏りが小さくなり、作業者の身体への局所的な荷重による疲労を軽減することができる。
【００３６】
また、作業機用支持ベルト１は、前支持バンド１４に第２長さ調整機構２１が設けられ、後支持バンド１３に第３長さ調整機構２５が設けられるので、これらを適宜調整することで、フック１５の上下左右の位置を自由に調整することができる。さらに、作業機用支持ベルト１は、前支持バンド１４に第１長さ調整機構１９が設けられ、左サスペンダーバンド６及び右サスペンダーバンド７に第４長さ調整機構２６、２７が設けられるので、作業者Ｐの体格にあわせてこれらを調整することで、作業機用支持ベルト１のフィット感を調整できる。例えば、重負荷作業の際に、作業機用支持ベルト１をきつめにフィットさせることにより、芝払機の吊り下げ荷重や芝払い作業に伴う反力を効果的に分散できる。軽作業時においても、作業機用支持ベルト１を適度にフィットさせておくことで、作業疲労感を軽減することができる。
【００３７】
そして、作業機用支持ベルト１には、第１長さ調整機構１９、第２長さ調整機構２１、第３長さ調整機構２５、第４長さ調整機構２６、及び第４長さ調整機構２７の近傍に、それぞれ作業順番を示す順番表示６２〜６５が設けられているので、各順番表示６２〜６５により示された作業順番に従って、第１長さ調整機構１９、第２長さ調整機構２１、第３長さ調整機構２５、及び第４長さ調整機構２６、２７による調整を順番通りに行うことより、作業機用パッド１６の高さ及び腰回りの位置を調節するとともに、作業機用支持ベルト１の装着作業を容易且つ適切に行うことができる。なお順番表示６１〜６６は、長さ調整機構１９、２１、２５〜２７、係止部材１０、クリップ２２等の対象物に直接設けてもよく、対象物の近傍に設けてもよい。
【００３８】
作業機用支持ベルト１は、Ｕ字型ハンドルがついた両手ハンドル型の刈払機に適用してもよく、ループハンドルを片手で持ちもう一方の手で作業機の棒を握るループハンドル型の刈払機に適用してもよい。また、作業機用支持ベルト１は、刈払機の他、ブロワ、高圧洗浄機、噴霧器等の作業機に使用することができる。
【００３９】
なお、前述した実施形態は、適宜、変形、改良、等が可能である。例えば、上記実施形態では、長さ調整機構としてラダーロックを使用しているが、ラダーロック以外の機構を用いてもよい。
【００４０】
また、上記実施形態では、作業順番を直接的に示す数値を含む順番表示６１〜６６を使用しているが、作業順番を直接的に示すマークを使用してもよい。例えば、１、２、３番の順番表示の代わりに１本、２本、３本の線を用いてもよく、１つ、２つ、３つの記号を用いてもよい。
【００４１】
また、上記実施形態では、作業順番を直接的に示す数値を含む順番表示６１〜６６として丸囲み数字を用いたが、丸囲み以外の囲み数字を用いてもよく、囲みなしの数字を用いてもよい。数字としては、アラビア数字の他、漢数字、ローマ数字等、適宜選択することができる。
作業順番  
【００４２】
本明細書には少なくとも以下の事項が記載されている。なお、括弧内には、上記した実施形態において対応する構成要素等を示しているが、これに限定されるものではない。
【００４３】
（１）  複数の長さ調整機構（第１長さ調整機構１９、第２長さ調整機構２１、第３長さ調整機構２５、第４長さ調整機構２６、２７）が設けられた作業機用支持ベルト（作業機用支持ベルト１）であって、
前記複数の長さ調整機構又は該複数の長さ調整機構の近傍には、それぞれ作業順番を示す順番表示（順番表示６１〜６６）が設けられている、作業機用支持ベルト。
【００４４】
（１）によれば、複数の長さ調整機構又はそれらの近傍に、それぞれ作業順番を示す順番表示が設けられているので、順番表示により示された作業順番に従って、装着作業を行うことより、装着作業を容易且つ適切に行うことができる。
【００４５】
（２）  （１）に記載の作業機用支持ベルトであって、
前記作業機用支持ベルトは、２つのベルト要素（左連結バンド１７、右連結バンド１８）同士を係止する係止部材（係止部材１０）をさらに備え、
前記係止部材又は前記係止部材の近傍には、前記順番表示（順番表示６１）が設けられている、作業機用支持ベルト。
【００４６】
（２）によれば、作業機用支持ベルトを装着する際の係止部材の作業順番を作業者に認識させることができる。
【００４７】
（３）  （１）又は（２）に記載の作業機用支持ベルトであって、
前記作業機用支持ベルトは、少なくとも１つのベルト要素（前支持バンド１４）の先端部（先端部１４ｂ）に設けられたクリップ（クリップ２２）をさらに備え、
前記クリップ又は前記クリップの近傍には、前記順番表示（順番表示６６）が設けられている、作業機用支持ベルト。
【００４８】
（３）によれば、作業機用支持ベルトを装着する際のクリップの作業順番を作業者に認識させることができる。
【００４９】
（４）  背板部（背板部２）と、
該背板部の上部から上方に延びて前方に回り込む左肩ベルト（左肩ベルト３）及び右肩ベルト（右肩ベルト４）と、
該背板部の下部から両側方に延びる腰ベルト（腰ベルト５）と、
前記左肩ベルトの前下部（前下部３ａ）と前記腰ベルトの左後部（左後部５ａ）とを接続する左サスペンダーバンド（左サスペンダーバンド６）と、
前記右肩ベルトの前下部（前下部４ａ）と前記腰ベルトの右後部（右後部５ｂ）とを接続する右サスペンダーバンド（右サスペンダーバンド７）と、
前記背板部の上部から左下方に延びて前方に回り込み、前記腰ベルトの左端部と連結される左側部ベルト（左側部ベルト８）と、
前記背板部の上部から右下方に延びて前方に回り込み、前記腰ベルトの右端部と連結される右側部ベルト（右側部ベルト９）と、
連結された前記腰ベルトの前記左端部及び前記左側部ベルトと、連結された前記腰ベルトの前記右端部及び前記右側部ベルトと、を係止する係止部材（係止部材１０）と、
作業機を支持する支持部材（フック１５）が設けられた作業機用パッド（作業機用パッド１６）と、
前記作業機用パッドの前部を支持する前支持バンド（前支持バンド１４）と、
前記作業機用パッドの後部を支持する後支持バンド（後支持バンド１３）と、を備え、
前記係止部材は、左係止部（雌部材１１）と右係止部（雄部材１２）とを備え、
連結された前記腰ベルトの前記左端部及び前記左側部ベルトには、前記左係止部が設けられ、
連結された前記腰ベルトの前記右端部及び前記右側部ベルトには、第１長さ調整機構が設けられ、
前記前支持バンドには、前記左係止部と係合する前記右係止部が第２長さ調整機構を介して連結され、
前記前支持バンドは、前記第２長さ調整機構に対し一方側に位置する第１端部（基端部１４ａ）が前記作業機用パッドに連結され、前記第２長さ調整機構に対し他方側に位置する第２端部（先端部１４ｂ）が前記第１長さ調整機構に連結され、
前記第１長さ調整機構及び前記第２長さ調整機構、又は前記第１長さ調整機構及び前記第２長さ調整機構の近傍には、それぞれ作業順番を示す順番表示（順番表示６３）が設けられている、作業機用支持ベルト。
【００５０】
（４）によれば、背板部、左肩ベルト及び左サスペンダーバンド、右肩ベルト及び右サスペンダーバンド、左側部ベルト、右側部ベルト、及び腰ベルトにより、作業機の荷重を上半身で分散することができる。また、作業機用支持ベルトに、左側部ベルトに加えて右側部ベルトを設け、且つ、連結された腰ベルトの左端部及び左側部ベルトと、連結された腰ベルトの右端部及び右側部ベルトとを係止部材で係止することで、従来よりも効果的に作業機の荷重を上半身に分散させることができる。また、作業者の腰回り全体に作業機の荷重を分散させることができるため、腰部へ作用する荷重の偏りが小さくなり、作業者の身体への局所的な荷重による疲労を軽減することができる。そして、第１長さ調整機構及び第２長さ調整機構又はそれらの近傍に、それぞれ作業順番を示す順番表示が設けられているので、各順番表示により示された作業順番に従って、第１長さ調整機構及び第２長さ調整機構による調整を順番通りに行うことより、装着作業を容易且つ適切に行うことができる。
【００５１】
（５）  （４）に記載の作業機用支持ベルトであって、
前記係止部材又は前記係止部材の近傍には、前記順番表示が設けられている、作業機用支持ベルト。
【００５２】
（５）によれば、作業機用支持ベルトを装着する際の係止部材の作業順番を作業者に認識させることができる。
【００５３】
（６）  （４）又は（５）に記載の作業機用支持ベルトであって、
前記腰ベルトの前記右後部には、第３長さ調整機構（第３長さ調整機構２５）が設けられ、
該第３長さ調整機構に前記後支持バンドが連結され、
前記第３長さ調整機構又は前記第３長さ調整機構の近傍には、前記順番表示が設けられている、作業機用支持ベルト。
【００５４】
（６）によれば、作業機用支持ベルトを装着する際の第３長さ調整機構の作業順番を作業者に認識させることができる。
【００５５】
（７）  （４）〜（６）のいずれかに記載の作業機用支持ベルトであって、
前記左肩ベルト及び前記右肩ベルトの前記前下部には、それぞれ第４長さ調整機構（第４長さ調整機構２６、２７）が設けられ、
前記左サスペンダーバンドは、前記第４長さ調整機構を介して前記左肩ベルトの前記前下部に連結され、
前記右サスペンダーバンドは、前記第４長さ調整機構を介して前記右肩ベルトの前記前下部に連結され、
前記第４長さ調整機構又は前記第４長さ調整機構の近傍には、前記順番表示が設けられている、作業機用支持ベルト。
【００５６】
（７）によれば、作業機用支持ベルトを装着する際の第４長さ調整機構の作業順番を作業者に認識させることができる。
【００５７】
（８）  （４）〜（７）のいずれかに記載の作業機用支持ベルトであって、
前記前支持バンドの先端部、前記左サスペンダーバンドの先端部、及び前記右サスペンダーバンドの先端部には、それぞれクリップが設けられ、
前記クリップ又は前記クリップの近傍には、前記順番表示が設けられている、作業機用支持ベルト。
【００５８】
（８）によれば、作業機用支持ベルトを装着する際のクリップの作業順番を作業者に認識させることができる。
【００５９】
（９）  （１）〜（８）のいずれかに記載の作業機用支持ベルトであって、
前記順番表示は、前記作業順番を直接的に示す数値を含む、作業機用支持ベルト。
【００６０】
（９）によれば、順番表示が、作業順番を直接的に示す数値を含むことにより、作業機用支持ベルトを装着する際の各部の作業順番を使用者に直接的に認識させることができる。
【００６１】
（１０）  （１）〜（８）のいずれかに記載の作業機用支持ベルトであって、
前記順番表示は、前記作業順番を直接的に示すマークを含む、作業機用支持ベルト。
【００６２】
（１０）によれば、順番表示が、作業順番を直接的に示すマークを含むことにより、作業機用支持ベルトを装着する際の各部の作業順番を使用者に直接的に認識させることができる。
【００６３】
（１１）  （１）〜（１０）のいずれかに記載の作業機用支持ベルトであって、
前記順番表示は、印刷、焼印、縫製、接着の少なくとも一つにより形成される、作業機用支持ベルト。
【００６４】
（１１）によれば、順番表示が、印刷、焼印、縫製、接着のいずれかにより形成されることにより、作業機用支持ベルトの各部の作業順番を明確に示すことができる。
【符号の説明】
【００６５】
１  作業機用支持ベルト
２  背板部
３  左肩ベルト
３ａ  前下部
４  右肩ベルト
４ａ  前下部
５  腰ベルト
５ａ  左後部
５ｂ  右後部
６  左サスペンダーバンド
７  右サスペンダーバンド
８  左側部ベルト
９  右側部ベルト
１０  係止部材
１１  雌部材（左係止部）
１２  雄部材（右係止部）
１３  後支持バンド
１４  前支持バンド
１４ａ  基端部（第１端部）
１４ｂ  先端部（第２端部）
１５  フック
１６  作業機用パッド
１７  左連結バンド
１８  右連結バンド
１９  第１長さ調整機構
２１  第２長さ調整機構
２２  クリップ
２５  第３長さ調整機構
２６  第４長さ調整機構
２７  第４長さ調整機構
６１  順番表示
６２  順番表示
６３  順番表示
６４  順番表示
６５  順番表示
６６  順番表示
６６  順番表示
【図１】
2020080812.tif 000003
【図２】
2020080812.tif 000004
【図３】
2020080812.tif 000005